(57)【要約】【課題】位置情報を削除しても、複数の位置情報から得られる移動経路、速度、距離の情報を取得できるようにする。【解決手段】一つの動画に複数の位置情報を付加する動画撮影装置において、撮影時に位置情報を付加しない場所を入力する入力手段と、位置情報を取得する位置情報取得手段と、相対位置情報を算出および取得する相対位置取得手段と、前記位置情報取得手段で取得した位置情報が、位置情報を付加しない場所かどうかを判断する位置情報付加禁止判断手段と、前記位置情報付加禁止判断手段により撮影時に位置情報を付加しない場所に入ったと判断した場合に、撮影した動画の位置情報を制限し相対位置情報を付加する相対位置情報付加手段とを有する。【選択図】図２
2016100730.tif 000002
【特許請求の範囲】
【請求項１】
一つの動画に複数の位置情報を付加する動画撮影装置において、
撮影時に位置情報を付加しない場所を入力する入力手段と、
位置情報を取得する位置情報取得手段と、
相対位置情報を算出および取得する相対位置取得手段と、
前記位置情報取得手段で取得した位置情報が、位置情報を付加しない場所かどうかを判断する位置情報付加禁止判断手段と、
前記位置情報付加禁止判断手段により撮影時に位置情報を付加しない場所に入ったと判断した場合に、撮影した動画の位置情報を制限し相対位置情報を付加する相対位置情報付加手段とを有する
ことを特徴とする動画撮影装置。
【請求項２】
前記相対位置取得手段は、位置情報から相対位置情報を算出する
ことを特徴とする請求項１に記載の動画撮影装置。
【請求項３】
前記相対位置取得手段は、移動距離を検出する
ことを特徴とする請求項１に記載の動画撮影装置。
【請求項４】
前記位置情報を付加しない場所は、ある一定の範囲である
ことを特徴とする請求項１に記載の動画撮影装置。
【請求項５】
前記位置情報を付加しない場所は、地名である
ことを特徴とする請求項１に記載の動画撮影装置。
【請求項６】
前記位置情報付加禁止判断手段は、前記位置情報を付加しない場所の判断を動画の撮影時に行う
ことを特徴とする請求項１に記載の動画撮影装置。
【請求項７】
前記位置情報付加禁止判断手段は、前記位置情報を付加しない場所の判断を動画の撮影終了後に行う
ことを特徴とする請求項１に記載の動画撮影装置。
【請求項８】
前記相対位置情報付加手段は、動画の先頭フレームからの相対位置情報を付加する
ことを特徴とする請求項１に記載の動画撮影装置。
【請求項９】
前記相対位置情報付加手段は、前記位置情報の制限を、位置情報を削除することで行う
ことを特徴とする請求項１に記載の動画撮影装置。
【請求項１０】
前記相対位置情報付加手段は、位置情報の制限を、位置情報を地名に変更することで行う
ことを特徴とする請求項１に記載の動画撮影装置。
【請求項１１】
前記相対位置情報付加手段は、位置情報の制限を、位置情報の精度を落とすことで行う
ことを特徴とする請求項１に記載の動画撮影装置。
【請求項１２】
動画に相対位置情報が付加された動画を再生する動画再生装置において、
相対位置情報から移動経路を算出する移動経路算出手段と
動画に記録された相対位置情報に対応する位置情報があれば、相対位置情報から位置情報に対応付ける位置情報復元手段とを有する
ことを特徴とする動画再生装置。
【請求項１３】
前記位置情報復元手段は、前記動画に付加された位置情報からランドマークの種類に対応する詳細な情報を取得し復元する
ことを特徴とする請求項１２に記載の動画再生装置。
【請求項１４】
前記位置情報復元手段は、付加する位置情報を、相対位置情報のいずれかに対応付ける
ことを特徴とする請求項１２に記載の動画再生装置。
【請求項１５】
位置情報を制限された動画に位置情報を付加した動画を再生する
ことを特徴とする請求項１２に記載の動画再生装置。
【請求項１６】
位置情報を付加しない場所を入力する入力手段と、
位置情報を取得する位置情報取得手段と、
相対位置情報を算出および取得する相対位置取得手段と、
前記位置情報取得手段で取得した位置情報が、位置情報を付加しない場所かどうかを判断する位置情報付加禁止判断手段と、
前記位置情報付加禁止判断手段により撮影時に位置情報を付加しない場所に入ったと判断した場合に、記録した位置情報を制限し相対位置情報を付加する相対位置情報付加手段とを備える
ことを特徴とする位置情報編集装置。
【請求項１７】
一つの動画に複数の位置情報を付加する動画撮影方法において、
撮影時に位置情報を付加しない場所を入力する入力工程と、
位置情報を取得する位置情報取得工程と、
相対位置情報を算出および取得する相対位置取得工程と、
前記位置情報取得工程で取得した位置情報が、位置情報を付加しない場所かどうかを判断する位置情報付加禁止判断工程と、
前記位置情報付加禁止判断工程において撮影時に位置情報を付加しない場所に入ったと判断した場合に、撮影した動画の位置情報を制限し相対位置情報を付加する相対位置情報付加工程とを有する
ことを特徴とする動画撮影方法。
【請求項１８】
動画に相対位置情報が付加された動画を再生する動画再生方法において、
相対位置情報から移動経路を算出する移動経路算出工程と
動画に記録された相対位置情報に対応する位置情報があれば、相対位置情報から位置情報に対応付ける位置情報復元工程とを有する
ことを特徴とする動画再生方法。
【請求項１９】
位置情報を付加しない場所を入力する入力工程と、
位置情報を取得する位置情報取得工程と、
相対位置情報を算出および取得する相対位置取得工程と、
前記位置情報取得工程で取得した位置情報が、位置情報を付加しない場所かどうかを判断する位置情報付加禁止判断工程と、
前記位置情報付加禁止判断工程において撮影時に位置情報を付加しない場所に入ったと判断した場合に、記録した位置情報を制限し相対位置情報を付加する相対位置情報付加工程とを備える
ことを特徴とする位置情報編集方法。
【請求項２０】
一つの動画に複数の位置情報を付加する動画撮影方法をコンピュータに実行させるプログラムにおいて、
撮影時に位置情報を付加しない場所を入力する入力工程と、
位置情報を取得する位置情報取得工程と、
相対位置情報を算出および取得する相対位置取得工程と、
前記位置情報取得工程で取得した位置情報が、位置情報を付加しない場所かどうかを判断する位置情報付加禁止判断工程と、
前記位置情報付加禁止判断工程において撮影時に位置情報を付加しない場所に入ったと判断した場合に、撮影した動画の位置情報を制限し相対位置情報を付加する相対位置情報付加工程とをコンピュータに実行させる
ことを特徴とするプログラム。
【請求項２１】
動画に相対位置情報が付加された動画を再生する動画再生方法をコンピュータに実行させるプログラムにおいて、
相対位置情報から移動経路を算出する移動経路算出工程と
動画に記録された相対位置情報に対応する位置情報があれば、相対位置情報から位置情報に対応付ける位置情報復元工程とをコンピュータに実行させる
ことを特徴とするプログラム。
【請求項２２】
位置情報を付加しない場所を入力する入力工程と、
位置情報を取得する位置情報取得工程と、
相対位置情報を算出および取得する相対位置取得工程と、
前記位置情報取得工程で取得した位置情報が、位置情報を付加しない場所かどうかを判断する位置情報付加禁止判断工程と、
前記位置情報付加禁止判断工程において撮影時に位置情報を付加しない場所に入ったと判断した場合に、記録した位置情報を制限し相対位置情報を付加する相対位置情報付加工程とをコンピュータに実行させる
ことを特徴とするプログラム。
【発明の詳細な説明】
【技術分野】
【０００１】
本発明は動画撮影装置、動画再生装置及び位置情報編集装置に関し、特に、動画に記録する位置情報を制限し、移動情報を記録するために用いて好適な技術にする。
【背景技術】
【０００２】
近年、GPSで取得した位置情報を動画でも扱うようになってきた。位置情報付きの動画を撮影し地図に重ねて再生する画像処理装置がある（特許文献1）。特許文献１にて提案されている画像処理装置は、動画像を撮像したときの撮像位置と、各撮像位置で撮像された動画像の内容を関連づけてユーザに提示する。
【先行技術文献】
【特許文献】
【０００３】
【特許文献１】特開２０１１−９８４６号公報
【発明の概要】
【発明が解決しようとする課題】
【０００４】
しかしながら特許文献１にて提案されている画像処理装置は、動画に位置情報を記録できるカメラで、自分の家の近くを撮影したり、撮影しながら自宅に帰った動画を位置情報をつけたまま公開したりすると自宅の位置が特定されてしまう可能性がある。
そのため、一般的に公開するデータにプライバシーにかかわる位置情報が含まれている場合に、位置情報を削除することが行われている。
【０００５】
しかし、位置情報を削除してしまうと、位置情報だけでなく、複数の位置情報から得られる移動経路、速度、距離の情報も一緒に削除されてしまう問題がある。
本発明は前述の問題点に鑑み、位置情報を削除しても、複数の位置情報から得られる移動経路、速度、距離の情報を取得できるようにすることを目的とする。
【課題を解決するための手段】
【０００６】
本発明の動画撮影装置は、一つの動画に複数の位置情報を付加する動画撮影装置において、撮影時に位置情報を付加しない場所を入力する入力手段と、位置情報を取得する位置情報取得手段と、相対位置情報を算出および取得する相対位置取得手段と、前記位置情報取得手段で取得した位置情報が、位置情報を付加しない場所かどうかを判断する位置情報付加禁止判断手段と、前記位置情報付加禁止判断手段により撮影時に位置情報を付加しない場所に入ったと判断した場合に、撮影した動画の位置情報を制限し相対位置情報を付加する相対位置情報付加手段とを有することを特徴とする。
【発明の効果】
【０００７】
本発明によれば、位置情報を削除しても、複数の位置情報から得られる移動経路、速度、距離の情報を取得することが可能になる。
また、本発明の他の特徴によれば、相対位置情報に変換することで、移動情報（移動経路）を残すことができる。
【図面の簡単な説明】
【０００８】
【図１】本発明の第１の実施形態に係る動画撮影装置の構成例を示すブロック図である。
【図２】本発明の第１の実施形態に係る動画撮影装置の位置情報記録禁止範囲を設定する画面の一例を示す図である。
【図３】本発明の第１の実施形態に係る動画撮影装置の位置情報を制限する場所を設定する処理手順の一例を示すフローチャートである。
【図４】本発明の第１の実施形態に係る動画撮影装置の動画を記録する手順の一例を示すフローチャートである。
【図５】本発明の第１の実施形態に係るＳ４１３の位置情報を制限する処理の一例を示すフローチャートである。
【図６】本発明の第１の実施形態、および第２の実施形態に係る動画ファイルを地図表示画面の一例を示す図である。
【図７】本発明の第２の実施形態に係る動画再生装置、および第３の実施形態に係る位置情報編集装置の構成例を示すブロック図である。
【図８】本発明の第２の実施形態に係る動画再生装置が地図表示するときの処理手順の一例を示すフローチャートである。
【図９】本発明の第２の実施形態に係る位置情報を追加した動画ファイルを地図表示した画面の一例を示す図である。
【図１０】本発明の第３の実施形態に係る位置情報編集装置の位置情報を制限する処理手順の一例を示すフローチャートである。
【図１１】本発明の第３の実施形態に係る動画ファイルを地図表示した画面の一例を示す図である。
【図１２】本発明の第１の実施形態、および第２の実施形態に係るファイル構造を説明する図である。
【図１３】本発明の第３の実施形態に係るファイル構造図を説明する図である。
【発明を実施するための形態】
【０００９】
以下、本発明にかかる１実施形態を、図面を参照して詳細に説明する。
＜第１の実施形態＞
本実施形態の動画撮影装置は、カメラ上で動作するソフトウエアで実現される。
図１は、本発明の実施形態に係る動画撮影装置の構成を示すブロック図である。
図１において、１０１は動画撮影装置１００全体を制御する制御部であり、例えばCentral Processing Unit（ＣＰＵ）である。
【００１０】
１０２は、変更を必要としないプログラムやパラメータを格納するRead Only Memory（ＲＯＭ）である。
１０３は、外部装置などから供給されるプログラムやデータを一時記憶するRandom Access Memory（ＲＡＭ）である。
【００１１】
１０４は、動画撮影装置１００に固定して設置されたハードディスクやメモリカード、あるいは動画撮影装置１００から着脱可能なフロッピー（登録商標）ディスク（ＦＤ）やCompact Disk（ＣＤ）等の光ディスク。或いは、磁気や光カード、ＩＣカードなどを含む外部記憶装置である。
１０５は、ユーザの操作を受け、データを入力するボタンやタッチパネルなどの操作部である。
【００１２】
１０６は、動画撮影装置１００の保持するデータや供給されたデータを表示するための表示部である。
１０７は、ＧＰＳ衛星からの信号を受信するＧＰＳ受信機である。一般的なＧＰＳ受信機では、位置情報と位置情報を取得した時の時刻を得ることができる。
【００１３】
１０８は、画像を入力するCharge Coupled Devices（ＣＣＤ）などの撮像部である。
１０９は、制御部１０１〜撮像部１０８の各ユニットを通信可能に接続するシステムバスである。
ＲＯＭ１０２は、後述する動画撮影プログラムが制御部１０１に読み取り可能なプログラムコードとして格納されており、このプログラムコードを制御部１０１が実行する構成になっている。
【００１４】
ＲＯＭ１０２の動画撮影プログラムは、入力手段と、位置情報取得手段と、相対位置取得手段と、位置情報付加禁止判断手段と、相対位置情報付加手段とを有している。
入力手段は、撮影時に位置情報を付加しない場所を入力する。位置情報取得手段は、位置情報を取得する。相対位置取得手段は、相対位置情報を算出および取得する。位置情報付加禁止判断手段は、位置情報取得手段で取得した位置情報が、位置情報を付加しない場所かどうか判断する。相対位置情報付加手段は、前述の判断により撮影時に位置情報を付加しない場所に入ったと判断した場合に、撮影した動画の位置情報を制限し、相対位置情報を付加する。
【００１５】
以上のように構成された本実施形態の動画撮影装置の概要について以下に説明する。
本実施形態の動画撮影装置には、動画を撮影する撮影モード、撮影した動画を再生する再生モード、地図上に撮影時に記録した位置情報を重ねて表示する地図表示モード、位置情報を制限する場所を設定する設定モードがある。これらのモードは、それぞれボタンで切り替えができるようになっている。本実施形態の動画撮影装置は、電源を入れると撮影モードで起動する。
【００１６】
本実施形態の動画撮影装置で作成する動画ファイルの構造について、図１２で説明する。
図１２（ａ）は、位置情報付き動画のファイル構造である。位置情報と相対位置情報が記録され、位置情報に制限のない動画ファイルである。ファイルの先頭からヘッダ、メーカー固有情報、一つ以上のVideoのフレームデータ、一つ以上のAudioのサンプルデータが並んだ構造になっている。メーカー固有情報には、位置情報、一つ以上の相対位置情報、一つ以上のランドマーク情報とその相対位置情報、一つ以上のプライベートなメタデータの順に並んでいる。相対位置情報というのは、二つの位置情報の差分である。なお、位置情報の差分ではなく、加速度センサー、ジャイロセンサー、磁気センサーなどから得られる移動距離のデータを利用しても、差分を算出したのと同様の構成が可能である。
【００１７】
本実施形態では、メーカー固有情報に次の内容を記録する。メーカー固有情報の相対位置情報には、先頭フレームを基準に先頭フレームとの位置情報の差分を記録する。ランドマーク情報とその相対位置情報は、ランドマークの名前と対応する相対位置情報をセットで記録する。
【００１８】
ランドマーク情報の相対位置情報は、先頭フレームを基準にした位置情報の差分を記録する。プライベートなメタデータは、自宅の場所と対応する相対位置情報をセットで記録する。なお、位置情報は、動画ファイルのメタデータとして決まった場所があれば、そこに入れてもよい。また、映像データの各々のフレームごとに用意されているユーザ領域に入れてもよい。
【００１９】
図１２（ｂ）は、相対位置情報付き動画のファイル構造である。位置情報を制限する際に、位置情報が削除され相対位置情報のみとなった動画である。ファイルの先頭からヘッダ、メーカー固有情報、一つ以上のVideoのフレームデータ、一つ以上のAudioのサンプルデータが並んだ構造になっている。メーカー固有情報には、一つ以上の相対位置情報、一つ以上のランドマークの種類情報とその相対位置情報の順に並んでいる。
【００２０】
本実施形態では、メーカー固有情報に次の内容を記録する。メーカー固有情報の相対位置情報には、先頭フレームを基準に先頭フレームとの位置情報の差分を記録する。ランドマークの種類情報とその相対位置情報は、ランドマーク種類情報と対応する相対位置情報をセットで記録する。ランドマーク種類情報の相対位置情報は、先頭フレームを基準にした位置情報の差分を記録する。
【００２１】
図１２（ｃ）は、後述する第２の実施形態で、使用する位置情報復元動画のファイル構造である。図１２（ｂ）に、位置情報を付加した構造になっている。ファイルの先頭からヘッダ、メーカー固有情報、一つ以上のVideoのフレームデータ、一つ以上のAudioのサンプルデータが並んだ構造になっている。メーカー固有情報には、位置情報、一つ以上の相対位置情報、一つ以上のランドマークの種類情報とその相対位置情報の順に並んでいる。メーカー固有情報のデータの入れ方は、図１２（ａ）および図１２（ｂ）と同様である。
【００２２】
本実施形態の動画撮影装置は、動画撮影を開始するときＧＰＳ受信機１０７で位置情報を取得し、動画撮影開始時の位置情報をメーカー固有情報の位置情報の領域に記録する。
動画の撮影が開始されると、一分おきにＧＰＳ受信機１０７で位置情報を取得し動画撮影開始時の位置情報からの差分を算出する。ここで算出した差分をメーカー固有情報の相対位置情報の領域に次々と記録する。
【００２３】
なお、動画の撮影時には、定期的に取得する位置情報から近くにあるランドマーク情報、プライベートなメタデータを自動で付加する。これらの情報もメーカー固有情報のランドマーク情報とその相対位置情報領域、メーカー固有情報のプライベートなメタデータ領域に記録する。本実施形態では、位置情報の取得間隔を１分間隔とするが、操作者が任意の間隔を設定する構成や加速度センサー、ジャイロセンサー、磁気センサーなどを利用して検出される移動距離から取得できるデータを利用して移動距離等で取得間隔を設定する構成でもよい。
【００２４】
本実施形態では、設定モードで位置情報を制限する場所を設定し、撮影モードで動画を撮影するときの例、および撮影した動画を地図表示モードで表示した時の表示画面を示す。動画撮影プログラムは、動画撮影装置の設定モード、および撮影モードで起動する。操作者が操作部１０５を操作し設定モード、および撮影モードに、切り替えることができる。
ここで、操作者が操作部１０５を操作し設定モードに切り替えて位置情報を制限する場所を設定する動作を図２、図３で説明する。
【００２５】
操作者が操作部１０５を操作し設定モードに切り替えると図１の制御部１０１が、表示部１０６上に位置情報を制限する場所を設定する図２の画面２１０を表示する。
図２の画面２１０上には、ＧＰＳ受信機１０７で測位した位置情報を表示している。本実施形態では、現在地を北緯35度35分00秒、東経139度40分00秒と取得した。
【００２６】
図２において、２２０は、位置情報を制限する範囲を入力する入力欄である。本実施形態では、操作者が操作部１０５を操作し１００と入力している。
２３０は、２２０に入力してある値で範囲を決定するときに操作者が操作部１０５を操作し押すＯＫボタンである。本実施形態では、現在地から半径１００ｍを、位置情報を制限する禁止範囲として設定する。
２４０は、位置情報を制限する範囲を設定する操作を取り消す時に操作者が操作部１０５を操作し押すＣａｎｃｅｌボタンである。
【００２７】
図３のフローチャートは、位置情報を制限する範囲を設定する処理フローを説明するフローチャートである。本フローチャートは、操作者が操作部１０５を操作し設定モードに切り替えることで開始する。位置情報を制限する範囲を設定する処理フローを終了した場合は、自動で撮影モードになる。
【００２８】
Ｓ３０１で制御部１０１が、ＧＰＳ受信機１０７から取得した位置情報を取得する。
Ｓ３０２で制御部１０１が、表示部１０６上に画面２１０を表示する。Ｓ３０１で取得した現在地も重ねて表示される。
Ｓ３０３で制御部１０１が、操作者が２２０に入力した値を取得する。
Ｓ３０４で制御部１０１が、操作者が２４０のＣａｎｃｅｌボタンを押したかどうか判断する。Ｃａｎｃｅｌボタンが押されたと判断した場合、設定モードを終了し、撮影モードになる。Ｃａｎｃｅｌボタンが押されていないと判断した場合、Ｓ３０５へ移行する。
【００２９】
Ｓ３０５で制御部１０１が、操作者が２３０のＯＫボタンを押したかどうか判断する。ＯＫボタンが押されたと判断した場合、Ｓ３０６へ移行する。ＯＫボタンが押されていないと判断した場合、Ｓ３０１へ移行する。
【００３０】
Ｓ３０６で制御部１０１が、Ｓ３０１とＳ３０３で取得した値から位置情報の記録禁止範囲を設定する。ここで設定される値は、ＲＡＭ１０３に記録する。
なお、位置情報を制限する範囲は、任意の矩形の範囲、任意の地名でもよい。位置情報を制限する範囲は、現在地から設定するだけでなく任意の場所を指定する構成でもよい。位置情報を制限する範囲を一つのみ設定する構成としたが、複数個の場所をテーブルで覚えておき複数の範囲を制限できる構成にしてもよい。
【００３１】
ここで、本実施形態の動画撮影装置の撮影モードで動画を撮影しながら位置情報を制限する範囲に入ったかどうかを判断し、位置情報を制限する場所に入った場合に位置情報を相対位置情報に変換する動作を図４及び図５のフローチャートを参照しながら説明する。
【００３２】
Ｓ４０１で制御部１０１が、ＲＡＭ１０３から位置情報記録禁止範囲の取得を行う。本実施形態では、位置情報記録禁止範囲は、北緯35度35分00秒、東経139度40分00秒を中心とした半径１００ｍに設定されている。
【００３３】
Ｓ４０２で制御部１０１が、動画撮影中に位置情報を制限する必要がある場所に入ったかどうかを判定するために利用する位置情報の制限フラグを初期化する。
Ｓ４０３で制御部１０１が、ＧＰＳ受信機１０７から位置情報を取得する。動画記録の先頭フレームに対応した位置情報が取得される。
【００３４】
Ｓ４０４で制御部１０１が、Ｓ４０３で取得した動画記録の先頭フレームに対応する位置情報を記録する。記録する場所は、動画ファイルのメーカー固有情報の位置情報領域に記録する。
Ｓ４０５で制御部１０１が、Ｓ４０３およびＳ４０８で取得した位置情報がＳ４０１で取得した位置情報の記録禁止範囲に入っているかどうか判断する。位置情報の記録禁止範囲に入っていると判断した場合、Ｓ４０６へ移行する。位置情報の記録禁止範囲に入っていないと判断した場合、Ｓ４０７へ移行する。
【００３５】
Ｓ４０６で制御部１０１が、位置情報制限フラグをＯｎにする。このフラグを参照することで、位置情報を制限するかどうかを判断する。
Ｓ４０７で制御部１０１が、動画を記録する。動画は、ファイルのＶｉｄｅｏのフレームデータ領域とＡｕｄｉｏのサンプルデータ領域に記録される。
【００３６】
Ｓ４０８で制御部１０１が、ＧＰＳ受信機１０７から位置情報を取得する。
Ｓ４０９で制御部１０１が、Ｓ４０８で取得した位置情報を相対位置情報に変換する。相対位置情報は、Ｓ４０８で取得した位置情報とＳ４０３で取得した位置情報からの差分で算出される。
【００３７】
Ｓ４１０で制御部１０１が、Ｓ４０９で位置情報から変換した相対位置情報を記録する。相対位置情報は、動画ファイルのメーカー固有情報の相対位置情報領域に記録する。
Ｓ４１１で制御部１０１が、操作者から動画撮影終了指示があったかどうか判断する。動画撮影終了指示があったと判断した場合Ｓ４１２へ移行する。動画撮影終了指示がなかったと判断した場合Ｓ４０５へ移行する。
【００３８】
Ｓ４０５からＳ４１１を繰り返すことで、相対位置情報の記録と動画の記録が行われる。
Ｓ４１２で制御部１０１が、位置情報の制限フラグがＯｎかどうか判断する。位置情報の制限フラグがＯｎの場合、Ｓ４１３へ移行する。位置情報の制限フラグがＯｎではない場合、この処理フローを終了する。
Ｓ４１３で制御部１０１が、動画に記録した位置情報・ランドマーク情報・プライベートなメタデータを制限する処理を行う。詳細は、図５のフローチャートで説明する。
【００３９】
図５のフローチャートは、動画に記録した位置情報・ランドマーク情報・プライベートなメタデータを制限する処理フローである。
本実施形態では、動画に記録した位置情報・ランドマーク情報とその相対位置情報・プライベートなメタデータをログファイルに出力することで、制限する前の元の情報を保存する。ログファイルのデータ構造については、特に図示しない。位置情報・ランドマーク情報とその相対位置情報・プライベートなメタデータ情報をそのまま抜き出した形とする。
【００４０】
本実施形態のログファイルは、動画の拡張子を.ｌｏｇに変更したファイルとする。ログファイルを動画ファイルの別拡張子を変更したファイルとすることで、動画ファイルとログファイルの関連付けを持たせることができる。なお、ログファイルではなくファイルに関連付けたデータベースに記録する構成にしてもよい。
【００４１】
Ｓ５０１で制御部１０１が、動画に記録した位置情報を動画に関連付けられたログファイルに記録する。
Ｓ５０２で制御部１０１が、動画に記録したランドマーク情報を動画に関連付けられたログファイルに記録する。
【００４２】
Ｓ５０３で制御部１０１が、動画に記録したプライベートなメタデータを動画に関連付けられたログファイルに記録する。
Ｓ５０４で制御部１０１が、動画に記録した位置情報を制限する。本実施形態では、動画に記録した位置情報の削除を行う。
【００４３】
Ｓ５０５で制御部１０１が、動画に記録したランドマーク情報をランドマークの種類へ変換する。本実施形態では、○×公園、△□湖などの詳細な名称まで入っている情報を公園、湖という種類へと変換する。
Ｓ５０６で制御部１０１が、動画に記録したプライベートなメタデータを削除する。本実施形態でのプライベートなメタデータは、自宅と自宅の位置情報である。
【００４４】
ここで、撮影した動画ファイルの表示例について説明する。
図６では、本実施形態の動画撮影装置の地図表示モードで動画を再生した時の画面を図示する。図６（ａ）では、位置情報を制限しなかった、位置情報付き動画を表示した画面を示す。図６（ｂ）では、位置情報を制限した、相対位置情報付き動画の画面を示す。
【００４５】
図６（ａ）の位置情報付き動画の画面の６０１から６０５について説明する。
図６（ａ）において、６０１は、動画撮影時の位置情報とランドマーク情報とプライベートなメタデータが表示された地図画面である。
６０２は、動画撮影時の位置情報から得られる移動経路を示している。動画の撮影開始位置と撮影終了位置には、それぞれＳとＥのマークを表示している。
【００４６】
６０３は、動画撮影時の位置情報から動画ファイルに記録されたランドマーク情報である。本実施形態では、○×公園というランドマーク情報が設定されている。
６０４は、動画撮影時の位置情報から動画ファイルに記録されたランドマーク情報である。本実施形態では、△□湖というランドマーク情報が設定されている。
６０５は、動画撮影時の位置情報から動画ファイルに記録されたプライベートなメタデータである。本実施形態では自宅というメタデータが設定されている。
【００４７】
図６（ａ）の６０１から６０５は、位置情報を制限していないため、すべての情報が記録されており自宅及びその周辺の情報がよくわかる。また、位置情報から、移動経路および、どの場所に長くとどまっていたのか、どの場所が素通りしただけの動画になっているかということを知ることができる。また、位置情報とその位置情報が記録された時間を分析することで、移動時の速度や、移動距離などを知ることができる。
【００４８】
図６（ｂ）の相対位置情報付き動画の画面の６０６から６０９について説明する。
６０６は、動画撮影時の位置情報が削除されたため、相対位置情報とランドマーク種類情報が表示された地図画面である。なお、位置情報が削除されたため地図表示モードでも地図が表示されていない。
【００４９】
６０７は、動画撮影時の相対位置情報である。動画の撮影開始位置と撮影終了位置には、それぞれＳとＥのマークを表示している。
６０８は、ランドマークの種類情報である。ランドマークの情報を制限したためランドマークの種類情報が表示される。本実施形態では、相対位置情報から公園付近を散策したことを知ることができる。
６０９は、ランドマークの種類情報である。ランドマークの情報を制限したためランドマークの種類情報が表示される。本実施形態では、相対位置情報から湖のそばを通ったことを知ることができる。
【００５０】
図６（ｂ）の６０６から６０９は、相対位置情報から、移動経路および、どの場所に長くとどまっていたのか、どの場所が素通りしただけの動画になっているかということを知ることができる。また、相対位置情報とその相対位置情報が記録された時間を分析することで、移動時の速度や、移動距離などを知ることができる。
【００５１】
なお、本実施形態では、位置情報を相対位置情報に変換したものを定期的に記録したが、取得した位置情報をそのまま記録し位置情報を制限するときに、相対位置情報に変換する構成でもよい。
【００５２】
なお、撮影終了後に位置情報を削除したが、位置情報の代わりに地名（県名）情報などを入れることで位置情報を制限してもよい。また、本実施形態では、撮影終了後に記録禁止範囲に入ったかどうかを判断し位置情報を削除する構成にしたが、ＰＣアプリ等で後から記録した位置情報が、位置情報を制限する範囲に入っているかどうか判断し、位置情報を制限する構成でもよい。また、位置情報の制限を、位置情報の精度を落とすことで行うようにしてもよい。
【００５３】
以上の処理によって、動画撮影時に位置情報を付加しない一定の範囲の場所に入った場合、動画撮影時に動画ファイルに記録した位置情報は、削除される。ランドマーク情報は、ランドマークの種類情報に変換される。プライベートなメタデータについては、削除される。これらの処理によって、プライバシーを考慮して動画ファイルから得られる情報を制限する。また、位置情報を制限しつつ、複数の相対位置情報から得られる移動経路、速度、距離の情報に関して残すことができる。
【００５４】
＜第２の実施形態＞
本実施形態の動画再生装置は、ＰＣ上で動作するソフトウエアで実現される。
図７は、本発明の実施形態に係る動画再生装置の構成を示すブロック図である。
図７において、７０１は、動画再生装置７００全体を制御する制御部であり、例えばCentral Processing Unit（ＣＰＵ）である。
７０２は、変更を必要としないプログラムやパラメータを格納するRead Only Memory（ＲＯＭ）である。
【００５５】
７０３は、外部装置などから供給されるプログラムやデータを一時記憶するRandom Access Memory（ＲＡＭ）である。
７０４は、動画再生装置７００に固定して設置されたハードディスクやメモリカード、あるいは動画再生装置７００から着脱可能なフロッピーディスク（ＦＤ）やCompact Disk（ＣＤ）等の光ディスク。或いは、磁気や光カード、ＩＣカードなどを含む外部記憶装置である。
【００５６】
７０５は、ユーザの操作を受け、データを入力するマウスやキーボードなどの操作部である。
７０６は、動画再生装置７００の保持するデータや供給されたデータを表示するための表示部である。
【００５７】
７０７は、インターネットなどのネットワーク回線に接続し通信するためのネットワーク通信部である。
７０８は、制御部７０１〜ネットワーク通信部７０７の各ユニットを通信可能に接続するシステムバスである。
【００５８】
ＲＯＭ７０２は、後述する動画表示プログラムが制御部７０１に読み取り可能なプログラムコードとして格納されており、このプログラムコードを制御部７０１が実行する構成になっている。
【００５９】
ＲＯＭ７０２の動画表示プログラムは、動画に相対位置情報が付加された動画を地図表示するプログラムで、移動経路算出手段と、位置情報復元手段から構成されている。
移動経路算出手段は、相対位置情報から移動経路を算出する。
位置情報復元手段は、動画に記録された相対位置情報に対応する位置情報があれば、相対位置情報から位置情報に対応付ける。
【００６０】
以上のように構成された動画再生装置での動作例を説明する。
本実施形態の動画再生装置で扱う動画ファイルについて以下に説明する。
本実施形態の動画再生装置は、第１の実施形態で撮影された位置情報を制限した動画ファイル、第１の実施形態で撮影された位置情報を制限していない動画ファイルを扱う。また、第１の実施形態で撮影された位置情報を制限した動画ファイルを編集し位置情報をつけた動画ファイルを扱う。
【００６１】
第１の実施形態で撮影された位置情報を制限した動画ファイルに位置情報を付加する方法は、静止画で一般的に行われているファイルを地図に重ね合わせて表示し操作者が任意の地点を指定することで行う。また、動画ファイルの位置情報を地図情報と重ね合わせることで、動画ファイルに記録されているランドマークの種類情報をランドマークの名称が付加されたランドマーク情報に復元することができる。
なお、付加する位置情報は、記録されているランドマークの種類に対応するランドマークの名称を設定する方法、位置情報を直接設定する方法でもよい。
【００６２】
第１の実施形態で撮影された位置情報を制限した動画ファイルを編集し位置情報をつけた動画ファイルの構造は、図１２（ｃ）になる。
図１２（ｃ）は、位置情報復元動画のファイル構造である。図１２（ｂ）のメーカー固有情報の先頭に位置情報を記録したものである。個々の項目については、図１２（ｂ）と同様である。
本実施形態では、位置情報は、動画の先頭フレームに対応する位置情報とする。
なお、動画に記録する位置情報は、記録した相対位置のいずれかに対応付けるような構成でもよい。
【００６３】
本実施形態の動画表示プログラムは、操作者が操作部１０５を操作し地図表示モードに切り替えて地図表示する動画ファイルを指定することで起動する。動画ファイルの指定方法は、一般的に行われているファイル選択ダイアログ表示し、操作者が操作部７０５を操作しファイルを選択することで行う。
本実施形態の動画表示プログラムは、第１の実施形態の動画撮影装置と同じランドマーク情報を持っている。
【００６４】
ここで、本実施形態の動画再生装置における動画表示プログラムの動作を、図８のフローチャート、および図６、図９を参照しながら説明する。
図８のフローチャートは、第１の実施形態で撮影した動画ファイルを読み込んで、地図表示するときの処理フローである。
【００６５】
Ｓ８０１で制御部７０１が、動画ファイルの拡張子を変更する。変更することで動画ファイルに関連づけられた、位置情報・ランドマーク情報とその相対位置情報・プライベートなメタデータが記録された（動画の拡張子を.ｌｏｇに変更したファイル）があるかどうか判断する。ログファイルがあると判断した場合Ｓ８０２へ移行する。ログファイルがないと判断した場合Ｓ８０６へ移行する。
【００６６】
Ｓ８０２で制御部７０１が、ログファイルから位置情報を取得する。動画の先頭フレームに対応する位置情報が取得される。
Ｓ８０３で制御部７０１が、ログファイルからランドマーク情報とその相対位置情報を取得する。
【００６７】
Ｓ８０４で制御部７０１が、ログファイルからプライベートなメタデータを取得する。
Ｓ８０５で制御部７０１が、Ｓ８０２で取得した位置情報から地図に対応付けて移動経路を表示する。また、Ｓ８０３、Ｓ８０４で取得した情報から削除された情報を復元し表示する。このステップで表示される画面は、すべての情報が制限なく表示されている図６（ａ）となる。
【００６８】
Ｓ８０６で制御部７０１が、動画ファイルのメーカー固有情報に位置情報が記録されているか判断し、位置情報が記録されていると判断した場合、Ｓ８０７へ移行する。記録されていないと判断した場合、Ｓ８１１へ移行する。
Ｓ８０７で制御部７０１が、動画ファイルのメーカー固有情報から位置情報を取得する。動画の先頭フレームに対応する位置情報が取得される。
【００６９】
Ｓ８０８で制御部７０１が、相対位置情報から移動経路を算出する。
Ｓ８０９で制御部７０１が、位置情報から撮影した動画ファイルの移動経路上のそばにあるランドマーク情報を取得する。
【００７０】
Ｓ８１０で制御部７０１が、Ｓ８０７、Ｓ８０８で取得した位置情報と相対位置情報から地図に対応付けて移動経路を表示する。また、Ｓ８０９で取得したランドマーク情報を表示する。このステップで表示される画面は、プライベートなメタデータが削除されて表示されている図９となる。図９の詳細は、後述する。
Ｓ８１１で制御部７０１が、動画ファイルのメーカー固有情報から相対位置情報を取得する。
【００７１】
Ｓ８１２で制御部７０１が、動画ファイルのメーカー固有情報からランドマークの種類情報とその相対位置情報を取得する。
Ｓ８１３で制御部７０１が、Ｓ８１１で取得した相対位置情報から移動経路を算出する。
Ｓ８１４で制御部７０１が、Ｓ８１２で取得したランドマークの種類情報とＳ８１３で取得した移動経路を対応付けて表示する。このステップで表示される画面は、図６（ｂ）となる。
【００７２】
Ｓ８１５で制御部７０１が、動画表示の終了指示があったかどうか判断する。終了指示があったと判断した場合、このフローを終了する。終了指示がなかったと判断した場合、Ｓ８１５を繰り返し、終了指示があるまで地図表示を続ける。
【００７３】
図９は、本実施形態の動画再生装置７００がＳ８１０で表示する画面である。
図９において、９０１は、動画撮影時の位置情報とランドマーク情報が表示された地図画面である。
９０２は、動画撮影時の位置情報から得られる移動経路を示している。動画の撮影開始位置と撮影終了位置には、それぞれＳとＥのマークを表示している。
【００７４】
９０３は、動画撮影時の位置情報から動画ファイルに記録されたランドマーク情報である。本実施形態では、○×公園というランドマーク情報が設定されている。
９０４は、動画撮影時の位置情報から動画ファイルに記録されたランドマーク情報である。本実施形態では、△□湖というランドマーク情報が設定されている。
以上の処理によって、位置情報を後から書き込むことで制限した撮影時の詳細な位置とランドマーク情報を復元することができる。
【００７５】
動画ファイルから位置情報を削除しておくことで、動画を公開するときに位置情報付き動画から位置情報を削除し忘れるリスクを減らすことができる。また、動画ファイルに相対位置情報を残しているので、相対位置情報付き動画ファイルを受け取った場合に相対位置情報付き動画ファイルの作成者に撮影開始時の位置情報を問い合わせることで、元の位置情報に復元するための手段を提供することができる。
【００７６】
＜第３の実施形態＞
第１の実施形態および第２の実施形態は、動画ファイルに付加された位置情報に限定していた。しかし本実施形態は、動画ファイルに限定するものではなく、ＧＰＳのログ情報と写真を組み合わせても実施できる。
【００７７】
本実施形態では、ＧＰＳのログ情報と写真を組み合わせて実施する例を説明する。
本実施形態の位置情報編集装置で扱うファイルについて以下に説明する。
本実施形態の位置情報編集装置は、第１の実施形態の動画撮影装置で撮影した写真とＧＰＳ受信機の位置情報のログファイル（ＧＰＳログ）を扱う。本実施形態では、写真とＧＰＳログは、同じディレクトリ上に存在しているものとする。
【００７８】
ＧＰＳログのファイル構造について、図１３を参照しながら説明する。
図１３（ａ）は、ＧＰＳログファイルである。ファイルの先頭からヘッダと一つ以上の位置情報が並んでいる。ヘッダには、ＧＰＳログを取得した機種名と、ＧＰＳログファイルなのか相対位置情報ログファイルのどちらのタイプなのかを記録する。本実施形態において、ログファイルでは、ＧＰＳログファイルというタイプをヘッダに記録する。
【００７９】
図１３（ｂ）は、相対位置情報ログファイルである。ファイルの先頭からヘッダと一つ以上の相対位置情報とランドマークの種類情報とその相対位置情報が並んでいる。ヘッダには、ＧＰＳログを取得した機種名と、ＧＰＳログファイルなのか相対位置情報ログファイルのどちらのタイプなのかを記録する。本実施形態において、ログファイルでは、相対位置情報ログファイルというタイプをヘッダに記録する。
【００８０】
本実施形態では、写真を３枚撮影し、３枚の写真が、ＧＰＳログと関連付いている。本実施形態で扱う３枚の写真は、公園の近くで撮影した写真、湖の近くで撮影した写真、自宅の近くで撮影した写真である。写真とＧＰＳログを地図上に重ねて表示すると図１１（ａ）となる。
【００８１】
○×公園の近くに１１０６のＰｈｏｔｏ Ａ、△□湖に１１０７のＰｈｏｔｏ Ｂ、自宅の近くに１１０８のＰｈｏｔｏ Ｃ が確認できる。なお写真には、位置情報およびメタデータが付加されている。本実施形態の写真で付加されているメタデータは、１１０８のＰｈｏｔｏ Ｃに自宅というプライベートなメタデータが付加されている。図１１の詳細な説明は後述する。
【００８２】
本実施形態の位置情報編集装置は、ＰＣ上で動作するソフトウエアで実現される。
本発明の実施形態に係る位置情報編集装置の構成を示すブロック図は、第２の実施形態と同じである。個々の詳細については、省略する。
【００８３】
以上のように構成された位置情報編集装置での動作例を説明する。
本実施形態の位置情報編集プログラムは、写真ファイルを指定することで起動する。写真ファイルの指定方法は、一般的に行われているファイル選択ダイアログ表示し、操作者が操作部７０５を操作しファイルを選択することで行う。
【００８４】
本実施形態では、位置情報の記録禁止範囲は、カメラに設定してある位置情報記録禁止範囲をＰＣとカメラを接続することで事前にＰＣに設定してあるものとして扱う。また、ＰＣ上で地図を表示し記録禁止範囲を操作者が設定してもよい。位置情報編集装置は、位置情報記録禁止範囲に存在するプライベートなメタデータ情報を持っている。
【００８５】
ここで、本実施形態の位置情報編集装置における位置情報編集プログラムの動作を、図１０のフローチャート、および図１１を参照しながら説明する。
図１０のフローチャートは、本実施形態で撮影した写真を読み込み、ＧＰＳログに記録されている位置情報を制限するかどうか判断し、相対位置情報ログファイルに変換するときの処理フローを説明するフローチャートである。
【００８６】
図１１のＳ１００１で制御部７０１が、位置情報の記録禁止範囲を取得する。本実施形態では、１１０５の自宅が位置情報禁止範囲に入っているとする。
Ｓ１００２で制御部７０１が、写真に記録されている撮影日時に近い位置情報取得日時の記録されているＧＰＳログを取得する。
【００８７】
Ｓ１００３で制御部７０１が、Ｓ１００２で取得したＧＰＳログに記録されている位置情報取得日時に近い撮影日時が記録されている写真の一覧を取得する。ここで取得した写真の一覧は、Ｓ１００２で取得したＧＰＳログに対応付いているものとして扱う。
Ｓ１００４で制御部７０１が、Ｓ１００２で取得したＧＰＳログに記録されている位置情報がＳ１００１で取得した位置情報記録禁止範囲に入っているかどうか判断する。位置情報記録禁止範囲に入っていると判断した場合は、Ｓ１００５へ移行する。位置情報記録禁止範囲に入っていないと判断した場合は、この処理フローを終了する。
【００８８】
Ｓ１００５で制御部７０１が、Ｓ１００２で取得したＧＰＳログに記録されている位置情報から、対応付けることができる近くのランドマーク情報とランドマークの位置情報を取得する。位置情報からその近辺のランドマーク情報を検索する作業は、一般的に行われている方法で行う。本実施形態では、図１１の１１０３の○×公園と１１０４の△□湖が取得される。
【００８９】
Ｓ１００６で制御部７０１が、ＧＰＳログとランドマークの位置情報を相対位置情報へ変換する。相対位置情報への変換は、ＧＰＳログの先頭からの差分を算出することで行う。
Ｓ１００７で制御部７０１が、Ｓ１００５で取得したランドマーク情報をランドマークの種類情報に変換する。本実施形態では、図１１の１１０３の○×公園と１１０４の△□湖がそれぞれ、公園と湖に変換される。
【００９０】
Ｓ１００８で制御部７０１が、Ｓ１００６で変換した相対位置情報とＳ１００３で取得した写真を対応付ける。Ｓ１００６で変換した相対位置情報とＳ１００７で変換したランドマークの種類情報の対応付けを行う。写真に対する相対位置情報の対応付けは、写真に記録されている位置情報を相対位置情報に変換することで行う。ランドマークの種類情報と相対位置情報の対応付けは、セットで扱うことで行う。
【００９１】
Ｓ１００９で制御部７０１が、ランドマークの種類情報と写真の相対位置情報への対応付けがすべて終了したかどうか判断する。すべて終了したと判断した場合は、Ｓ１０１０へ移行する。まだ終了していないと判断した場合は、Ｓ１００８へ移行する。Ｓ１００８とＳ１００９を繰り返すことで、すべてのランドマークの種類情報とすべての写真を相対位置情報に対応付ける。
【００９２】
Ｓ１０１０で制御部７０１が、すべての写真からプライベートなメタデータを削除する。本実施形態では、図１１の１１０８のＰｈｏｔｏ Ｃの自宅というメタデータを削除する。
Ｓ１０１１で制御部７０１が、Ｓ１００６で変換した相対位置情報とＳ１００８で対応付けを行ったランドマークの位置情報とその相対位置情報をファイルに出力する。出力したファイル構造は、図１３（ｂ）となる。
出力したファイルのヘッダには、相対位置情報ログファイルのタイプを記録する。相対位置情報の領域には、一つ以上の相対位置情報のログを記録する。ランドマークの種類情報とその相対位置情報の領域には、ランドマークの種類情報とセットで扱う相対位置情報を記録する。
【００９３】
図１１は、本実施形態のＧＰＳログと写真を地図に重ねて表示した時の画面を図示したものと相対位置情報と写真を地図に重ねて表示した時の画面である。
本実施形態では、３枚の写真（Ｐｈｏｔｏ Ａ、Ｐｈｏｔｏ Ｂ、Ｐｈｏｔｏ Ｃ）が表示されている。
【００９４】
また、地図に重ねて、ランドマーク情報とプライベートなメタデータが表示されている。ランドマーク情報は、ＧＰＳログの位置情報から対応しているランドマーク情報を表示する。プライベートなメタデータは、位置情報編集装置で位置情報に関連付けて個別に持っている情報を表示しているものとする。位置情報から近くにあるランドマーク情報を取得する方法は、一般的に行われているので特に論じない。
【００９５】
図１１（ａ）では、ＧＰＳログと写真を地図に重ねて表示した時の画面を図示する。
図１１（ａ）において、１１０１は、ＧＰＳログの位置情報から得られる移動経路と写真撮影時の位置情報とランドマーク情報とプライベートなメタデータが表示された地図画面である。
１１０２は、ＧＰＳログの位置情報から得られる移動経路を示している。ＧＰＳログの取得開始位置と終了位置には、それぞれＳとＥのマークを表示している。
【００９６】
１１０３は、ＧＰＳログの位置情報に対応付けられるランドマーク情報である。本実施形態では、○×公園と表示されている。
１１０４は、ＧＰＳログの位置情報に対応付けられるランドマーク情報である。本実施形態では、△□湖と表示されている。
【００９７】
１１０５は、１１０８のＰｈｏｔｏ Ｃに記録されているプライベートなメタデータである。本実施形態では、自宅が記録されている。
１１０６は、○×公園の近くで撮影した写真（Ｐｈｏｔｏ Ａ）である。
１１０７は、△□湖の近くで撮影した写真（Ｐｈｏｔｏ Ｂ）である。
１１０８は、自宅の近くで撮影した写真（Ｐｈｏｔｏ Ｃ）である。
図１１（ａ）の１１０１から１１０５によって、すべての情報が表示されており写真を撮影した時の周辺情報がよくわかる。
【００９８】
図１１（ｂ）では、相対位置情報と写真を地図に重ねて表示した時の画面を図示する。
１１１１は、ＧＰＳログの相対位置情報（相対位置情報ログファイル）から得られる移動情報と写真撮影時の位置情報とランドマーク情報が表示された地図画面である。
１１１２は、相対位置情報ログファイルから得られる移動情報を示している。相対位置情報の取得開始位置と終了位置には、それぞれＳとＥのマークを表示している。
【００９９】
１１１３は、相対位置情報ログファイルに対応付けられるランドマークの種類情報である。本実施形態では、公園と表示されている。
１１１４は、相対位置情報ログファイルに対応付けられるランドマークの種類情報である。本実施形態では、湖と表示されている。
【０１００】
１１１５は、公園の近くで撮影した写真（Ｐｈｏｔｏ Ａ）である。
１１１６は、湖の近くで撮影した写真（Ｐｈｏｔｏ Ｂ）である。
１１１７は、相対位置情報ログの最後のほうで撮影した写真（Ｐｈｏｔｏ Ｃ）である。
図１１（ａ）の１１１１から１１１４によって、写真を撮影した時の周辺情報を大まかに把握することができる。
【０１０１】
以上の処理によって、位置情報をつけない場所のＧＰＳログの位置情報と写真の位置情報は、削除される。ＧＰＳログの位置情報の近くにあるランドマーク情報は、ランドマークの種類情報とランドマークの相対位置情報に変換される。プライベートなメタデータについては、削除される。
【０１０２】
これらの処理によって、プライバシーを考慮して写真とＧＰＳログを一緒に扱った場合に得られる情報を制限する。また、位置情報を制限しつつ、複数の相対位置情報から得られる移動経路、速度、距離の情報に関して残すことができる。
なお、ログファイルに対応付いている写真がない場合、すなわちログファイルのみを対象として位置情報を制限する場合にも適用できる。
【０１０３】
（その他の実施形態）
本発明は、前述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０４】
１００  動画撮影装置
１０１  制御部
１０２  ＲＯＭ
１０３  ＲＡＭ
１０４  外部記憶装置
１０５  操作部
１０６  表示部
１０７  ＧＰＳ受信機
１０８  撮像部
１０９  システムバス
【図１】
2016100730.tif 000003
【図２】
2016100730.tif 000004
【図３】
2016100730.tif 000005
【図４】
2016100730.tif 000006
【図５】
2016100730.tif 000007
【図６】
2016100730.tif 000008
【図７】
2016100730.tif 000009
【図８】
2016100730.tif 000010
【図９】
2016100730.tif 000011
【図１０】
2016100730.tif 000012
【図１１】
2016100730.tif 000013
【図１２】
2016100730.tif 000014
【図１３】
2016100730.tif 000015